(57)【要約】【課題】複数の機器のネットワーク接続作業の効率化が可能なインターホンシステムを提供する。【解決手段】集合住宅に用いられるインターホンシステム１であって、ネットワークＮを介して互いに接続される複数の機器（例えば、棟制御部４０）を備え、複数の棟制御部４０は、棟制御部４０ごとの固有情報（例えば、棟制御機ＩＤ）を用いて設定される互いに異なるＩＰアドレスを保有している。棟制御機ＩＤは、複数の棟制御部４０の各々の設定に用いられる入力デバイス（例えば、ＤＩＰスイッチ）により設定される識別番号である。【選択図】図１
2018074195.tif 000002
【特許請求の範囲】
【請求項１】
集合住宅に用いられるインターホンシステムであって、
ネットワークを介して互いに接続される複数の機器を備え、
前記複数の機器は、機器ごとの固有情報を用いて設定される互いに異なるＩＰアドレスを保有している、インターホンシステム。
【請求項２】
前記固有情報は、前記複数の機器の各々の設定に用いられる入力デバイスにより設定される識別番号である、請求項１に記載のインターホンシステム。
【請求項３】
前記入力デバイスは、ＤＩＰ（Dual In-line Package）スイッチである、請求項２に記載のインターホンシステム。
【請求項４】
前記固有情報は、前記複数の機器の各々に予め記憶されている、請求項１に記載のインターホンシステム。
【請求項５】
前記集合住宅は、
各居室に設置される居室親機と、
前記居室親機を呼び出す呼出操作が可能な端末機器と、
前記各居室の前記居室親機と前記端末機器とを通信可能に接続する棟制御部と、を備え、
前記複数の機器は、前記居室親機、前記端末機器、前記棟制御部のいずれかである、請求項１から請求項４のいずれか一項に記載のインターホンシステム。
【請求項６】
前記集合住宅は、複数の住居棟で構成され、
前記複数の住居棟の各々は、前記居室親機と、前記端末機器と、前記棟制御部と、を備え、
前記複数の住居棟のうち一の住居棟の前記棟制御部は、汎用プロトコルに従って通信が行われる前記ネットワークを介して、他の住居棟の前記棟制御部と接続されている、請求項５に記載のインターホンシステム。
【発明の詳細な説明】
【技術分野】
【０００１】
本発明は、集合住宅に用いられるインターホンシステムに関する。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】特開２００４−２６０６７９号公報
【発明の概要】
【発明が解決しようとする課題】
【０００４】
特許文献１のようなインターホンシステムでは、各住居棟と接続される制御機が、各住居棟からの呼出信号等を集中して管理する構成となっている。そして、複数の住居棟の各々の制御機は、ネットワークを介して互いに接続されている。このようなネットワーク接続機能を有する制御機等の機器は、予め決められた所定のＩＰ（Internet Protocol）アドレス（以下、デフォルトＩＰアドレスと称する）を有しているが、複数の機器を同一の通信ネットワークに接続して同時に起動した場合には、全ての機器が同一のデフォルトＩＰアドレスで起動されるため、ネットワーク上の通信が出来ない。そのため、従来、複数の機器を１台ずつネットワークに接続して、デフォルトＩＰアドレスとは異なる固定のＩＰアドレスに設定し直してから、次の機器をネットワークに接続しており、複数の機器のネットワーク接続設定に手間がかかっている。
【０００５】
そこで、本発明は、複数の機器のネットワーク接続作業の効率化が可能なインターホンシステムを提供することを目的とする。
【課題を解決するための手段】
【０００６】
上記目的を達成するために、本発明のインターホンシステムは、
集合住宅に用いられるインターホンシステムであって、
ネットワークを介して互いに接続される複数の機器を備え、
前記複数の機器は、機器ごとの固有情報を用いて設定される互いに異なるＩＰアドレスを保有している。
【０００７】
この構成によれば、複数の機器のネットワーク接続作業の効率化が可能なインターホンシステムを提供することができる。
【０００８】
また、本発明のインターホンシステムにおいて、
前記固有情報は、前記複数の機器の各々の設定に用いられる入力デバイスにより設定される識別番号であってもよい。
【０００９】
この構成によれば、入力デバイスにより任意で設定可能な機器固有の識別番号を用いて、複数の機器間で重複しないＩＰアドレスを設定することができる。例えば、インターホンシステムの配線作業者が入力デバイスを操作することで、各機器のデフォルトＩＰアドレスも異ならせることができる。これにより、ネットワーク作業者は、ＬＡＮケーブルを挿入し直す等の非効率な作業を行うことなく、ネットワーク作業者が行うべき作業（システム設定）に着手することができる。
【００１０】
また、本発明のインターホンシステムにおいて、
前記入力デバイスは、ＤＩＰ（Dual In-line Package）スイッチであってもよい。
【００１１】
この構成によれば、機器固有のＩＰアドレスを簡便に設定することができる。
【００１２】
また、本発明のインターホンシステムにおいて、
前記固有情報は、前記複数の機器の各々に予め記憶されていてもよい。
【００１３】
この構成によれば、各機器に予め記憶された固有情報に基づいてＩＰアドレスが重複しないように設定されるため、ネットワーク作業者の作業効率を向上させることができる。
【００１４】
また、本発明のインターホンシステムにおいて、
前記集合住宅は、
各居室に設置される居室親機と、
前記居室親機を呼び出す呼出操作が可能な端末機器と、
前記各居室の前記居室親機と前記端末機器とを通信可能に接続する棟制御部と、を備え、
前記複数の機器は、前記居室親機、前記端末機器、前記棟制御部のいずれかであってもよい。
【００１５】
この構成によれば、居室親機、端末機器（集合玄関機や管理室親機等）、棟制御部といったインターホンシステムを構成する各種機器のネットワーク上での接続作業を効率化させることができる。
【００１６】
また、本発明のインターホンシステムにおいて、
前記集合住宅は、複数の住居棟で構成され、
前記複数の住居棟の各々は、前記居室親機と、前記端末機器と、前記棟制御部と、を備え、
前記複数の住居棟のうち一の住居棟の前記棟制御部は、汎用プロトコルに従って通信が行われる前記ネットワークを介して、他の住居棟の前記棟制御部と接続されていてもよい。
【００１７】
この構成によれば、特に、多棟の集合住宅における多数の棟制御部のネットワーク上での接続作業を効率化させることができる。
【発明の効果】
【００１８】
本発明のインターホンシステムによれば、複数の機器のネットワーク接続作業の効率化が可能である。
【図面の簡単な説明】
【００１９】
【図１】本発明の実施形態に係るインターホンシステムの構成図である。
【図２】棟制御部の構成図である。
【図３】ＤＩＰスイッチの一例を示す図である。
【図４】ＩＰテーブルの一例を示す図である。
【発明を実施するための形態】
【００２０】
以下、本実施形態の一例について、図面を参照して説明する。
図１に示すように、インターホンシステム１は、複数の住居棟（本例では、住居Ａ棟〜住居Ｅ棟）で構成される例えばマンション等の集合住宅に用いられるシステムである。住居Ａ棟〜住居Ｅ棟は、汎用プロトコルに従って通信が行われるネットワークＮ（本例では、ＬＡＮ：Local Area Network）を介して互いに接続されている。また、集合住宅には管理センター５が設けられており、ネットワークＮを介して各住居棟と接続されている。
【００２１】
インターホンシステム１は、集合玄関機１０Ａ〜１０Ｃと、管理室親機２０と、居室親機３０と、棟制御部４０とを備えている。集合玄関機１０Ａ〜１０Ｃおよび管理室親機２０は、各居室に設置される居室親機３０を呼び出す呼出操作が可能な機器であり、集合玄関機１０Ａ〜１０Ｃおよび管理室親機２０を、端末機器と総称する場合もある。なお、図１では、住居Ａ棟のみに上記各構成を示しているが、住居Ｂ棟から住居Ｅ棟も同様の構成を有する。
【００２２】
集合玄関機１０Ａ〜１０Ｃ（以下、総称する場合は集合玄関機１０と称する）は、集合住宅の集合玄関や共用スペース等に設置されている。集合玄関機１０は、操作部１０１、通話部１０２、カメラ１０３、表示部１０４などを有している。各集合玄関機１０Ａ〜１０Ｃには、その集合玄関機を特定する固有情報（例えば集合玄関機ＩＤ：identification等の識別番号）が記憶されている。集合玄関機１０は、インターホン回線（専用線）Ｌ１を介して棟制御部４０に接続されている。集合玄関機１０は、棟制御部４０を経由して、例えば居室親機３０や管理室親機２０などと通信可能に構成されている。
【００２３】
管理室親機２０は、集合住宅の管理室に設置されている。管理室親機２０は、操作部２０１、通話部２０２、表示部２０３などを有している。管理室親機２０には、その管理室親機を特定する固有情報（例えば管理室親機ＩＤ等の識別番号）が記憶されている。管理室親機２０は、インターホン回線Ｌ２を介して棟制御部４０に接続されている。管理室親機２０は、棟制御部４０を経由して、例えば居室親機３０や集合玄関機１０などと通信可能に構成されている。
【００２４】
居室親機３０は、集合住宅の各居室（各住居）内に設置されている。居室親機３０は、表示部３０１、操作部３０２、通話部３０３などを有している。各居室親機３０には、その居室親機を特定する固有情報（例えば居室親機ＩＤ等の識別番号）が記憶されている。居室親機３０は、インターホン回線Ｌ３を介して棟制御部４０に接続されている。居室親機３０は、棟制御部４０を経由して、例えば集合玄関機１０や管理室親機２０などと通信可能に構成されている。
【００２５】
棟制御部４０は、インターホン回線を介して接続される集合玄関機１０、管理室親機２０、及び居室親機３０との間の通信等を制御する。また、棟制御部４０は、ネットワークＮを介して接続される他の住居棟（本例では住居Ｂ棟〜住居Ｅ棟）の棟制御部４０、及び管理センター５の集中制御部７０（後述する）との間の通信等を制御する。棟制御部４０には、その棟制御部を特定する固有情報（例えば棟制御機ＩＤ等の識別番号）が記憶されている。また、棟制御部４０には、ネットワークＮ上で棟制御部を識別するための番号であって、各住居棟（住居Ａ棟〜住居Ｅ棟）で互いに異なるＩＰアドレスが記憶されている。
【００２６】
また、棟制御部４０は、無線通信（例えばＮＦＣ：Near Field Communication，Bluetooth（登録商標）等）により、外部機器８０（例えばＰＣ：Personal Computer等）と通信可能に接続されうる。あるいは、棟制御部４０は、ネットワークＮを介して、外部機器８０と通信可能に接続されうる。外部機器８０には、インターホンシステム１を構成する機器をネットワークＮに接続する際に用いられる設定ツールが保有されている。システム設定の作業者は、この設定ツールを介してネットワーク接続作業を行うことが可能である。
【００２７】
管理センター５は、住居Ａ棟〜住居Ｅ棟までの集合住宅全体を管理することができるように構成されており、集中集合玄関機５０と、集中管理室親機６０と、集中制御部７０とを備えている。
集中集合玄関機５０は、管理センター５の玄関に設置されており、操作部５０１、通話部５０２、カメラ５０３、表示部５０４などを有している。集中集合玄関機５０には、その集中集合玄関機を特定する固有情報（例えば集中集合玄関機ＩＤ等の識別番号）が記憶されている。集中集合玄関機５０は、インターホン回線Ｌ４を介して集中制御部７０に接続されている。集中集合玄関機５０は、集中制御部７０及び棟制御部４０を経由して、例えば各棟の居室親機３０や管理室親機２０などと通信可能に構成されている。
【００２８】
集中管理室親機６０は、管理センター５の管理室に設置されており、操作部６０１、通話部６０２、表示部６０３などを有している。集中管理室親機６０には、その集中管理室親機を特定する固有情報（例えば集中管理室親機ＩＤ等の識別番号）が記憶されている。集中管理室親機６０は、インターホン回線Ｌ５を介して集中制御部７０に接続されている。集中管理室親機６０は、集中制御部７０及び棟制御部４０を経由して、例えば各棟の居室親機３０や管理室親機２０などと通信可能に構成されている。
【００２９】
集中制御部７０は、インターホン回線を介して接続されている集中集合玄関機５０、及び集中管理室親機６０との間の通信等を制御する。また、集中制御部７０は、ネットワークＮを介して接続される住居Ａ棟〜住居Ｅ棟の棟制御部４０との間の通信等を制御する。集中制御部７０には、その集中制御部を特定する固有情報（例えば集中制御部ＩＤ等の識別番号）が記憶されている。
【００３０】
図２に示すように、棟制御部４０には、棟制御機ＩＤを設定することが可能なＤＩＰ（Dual In-line Package）スイッチ４０１（入力デバイスの一例）と、ＬＡＮケーブル９０が接続されるコネクタ部４０２と、棟制御部４０の電源をオン・オフさせる電源スイッチ４０３とが設けられている。また、棟制御部４０には、棟記憶部４１１と棟制御機ＣＰＵ４１２とを有する棟制御機４１０が搭載されている。
【００３１】
棟制御機４１０の棟記憶部４１１には、棟制御部４０の棟制御機ＩＤとＩＰアドレスとが対応付けられたＩＰテーブル４１１ａが記憶されている。
棟制御機ＣＰＵ４１２は、棟制御機４１０に接続される各部の動作を制御するための処理を行う。例えば、棟制御機ＣＰＵ４１２は、棟制御機ＣＰＵ４１２に接続されているＤＩＰスイッチ４０１の設定状態を検出して棟制御部４０の棟制御機ＩＤを判別し、棟記憶部４１１のＩＰテーブル４１１ａに基づいて、棟制御機ＩＤに対応付けられているＩＰアドレスを特定する。
【００３２】
棟制御部４０に設けられているＤＩＰスイッチ４０１は、例えば図３に示すように、一列に配置された８個のスイッチ１〜８を備えている。各スイッチ１〜８は、例えば外部から作業者により、それぞれオン・オフ状態が切り替えられるように構成されている。各スイッチ１〜８を予め決められた状態に設定することにより機器の動作を制御することができる。本例の図３では、スイッチ２〜６のオン・オフ状態により棟制御機ＩＤを設定することができるように構成されている。また、スイッチ１のオン・オフ状態により集合住宅の棟形態、すなわち集合住宅が複数の住居棟で構成される形態であるかどうかを設定することができるように構成されている。
【００３３】
棟記憶部４１１に記憶されているＩＰテーブル４１１ａは、例えば図４に示すように、１〜９９の数字で表される棟制御機ＩＤと、４つに区切られた数字で表されるＩＰアドレスとが対応付けられた構成とされている。ＩＰアドレスは、「１９２．１６８．１．５１」のように、ドット（．）で区切られた３桁の数字（１０進数）で表されている。
ＤＩＰスイッチ４０１のスイッチ２〜６が棟制御機ＩＤを表す１〜９９の数字となるように設定されることによって、棟制御部４０の棟制御機ＩＤが決定されるとともに、決定された棟制御機ＩＤに対応する棟制御部４０のＩＰアドレスが設定される。
【００３４】
なお、上記実施形態では、ＩＰテーブル４１１ａを設けて棟制御機ＩＤにＩＰアドレスを対応付ける構成としたが、例えば棟制御機ＩＤを設定するためのＤＩＰスイッチ４０１とは別に、ＩＰアドレスを設定するための独自のＤＩＰスイッチを設ける構成としてもよい。この場合、ＩＰアドレス用のＤＩＰスイッチの設定状態が棟制御機ＣＰＵ４１２によって検出され、棟制御部４０のＩＰアドレスが判別される。
【００３５】
また、例えば棟制御機ＩＤを設定するためのＤＩＰスイッチ４０１を設けない構成としてもよい。この場合、各棟制御部４０の棟制御機ＩＤ及びＩＰアドレスをそれぞれ決定しておき、決定された棟制御機ＩＤ及びＩＰアドレスを、予め、棟制御機４１０の棟記憶部４１１に記憶させておく構成としてもよい。
【００３６】
また、上記実施形態では、棟制御部４０にのみＩＰアドレスを設定する構成としたが、例えば棟制御部４０のほか、集合玄関機１０、管理室親機２０、居室親機３０等の各機器にもＩＰアドレスを設定するようにしてもよい。その場合、上記棟制御部４０と同様に、各々の機器にＤＩＰスイッチ等が設けられて、各機器のＩＤとＩＰアドレスとが対応付けられたＩＰテーブルが記憶部に記憶される構成となる。また、この場合、棟制御部４０と各機器（居室親機３０、集合玄関機１０、及び管理室親機２０）との間は、インターホン回線ではなくネットワークＮを介して通信可能に接続される。さらに、住居棟だけでなく、例えば管理センター５の集中制御部７０、集中集合玄関機５０、及び集中管理室親機６０にも同様にＩＰアドレスを設定するようにしてもよい。
【００３７】
また、ネットワークＮに接続される棟制御部４０等に対しＤＩＰスイッチを介してＩＰアドレスを割り当てる上記構成に加え、ＩＰアドレスを自動的に割り当てるＤＨＣＰ（Dynamic Host Configuration Protocol）サーバをさらに備える構成としてもよい。
【００３８】
ところで、インターホンシステムを集合住宅に設置する場合、ケーブルの配線等を行う作業者が全ての棟制御機にＬＡＮケーブルを挿入して作業を完了し、その後、システムの設定等を行う作業者がその作業を引き継ぐ。しかし、棟制御機にＤＨＣＰサーバが設けられていない場合、複数の棟制御機が同一のネットワークに同時に接続されると、複数の棟制御機に対して同じＩＰアドレスが付与されて、正常に動作しない場合が発生する。このため、システムの設定等を行う作業者は、全ての棟制御機からＬＡＮケーブルを取り外した後、棟制御機の一台ずつにＬＡＮケーブルを挿入し棟制御機ごとに異なるＩＰアドレスを設定してネットワーク接続する作業を棟制御機の台数分だけ繰り返し行わなければならない。このため、ネットワーク接続作業の効率が良くなかった。
【００３９】
また、ＤＨＣＰサーバを有するシステム構成の場合であっても、停電が発生して復旧した際に、複数の棟制御機が同時にネットワークにアクセスすると、ＤＨＣＰサーバから任意に各棟制御機にＩＰアドレスが付与されて、棟制御機ＩＤとデフォルトＩＰアドレスとの対応関係などの当初設定と異なる設定になってしまう可能性もある。
【００４０】
これに対して、上記実施形態のインターホンシステム１によれば、各棟制御部４０に設けられているＤＩＰスイッチ４０１を用いて棟制御機ＩＤを設定することにより、ＩＰテーブル４１１ａに基づいて棟制御部４０に固有のＩＰアドレスを自動的に割り付けることができる。このため、例えば、インターホンシステム１の配線作業者がＤＩＰスイッチ４０１を操作することで、各棟制御部４０のデフォルトＩＰアドレスも異ならせることができる。これにより、ネットワーク作業者は、ＬＡＮケーブルを挿入し直す等の非効率な作業を行うことなく、ネットワーク作業者が行うべき作業（システム設定）に着手することができる。
【００４１】
また、作業者は各棟制御部４０に設けられたＤＩＰスイッチ４０１のオン・オフ状態を切り替えるだけでＩＰアドレスを簡便に設定することができる。
【００４２】
また、ＤＩＰスイッチ４０１を設けずに、棟制御機４１０の棟記憶部４１１に棟制御機ＩＤを予め記憶させておく構成の場合には、予め記憶された棟制御機ＩＤに基づいてＩＰアドレスが重複しないように設定することができる。
【００４３】
また、停電から復旧して、複数の棟制御機４１０の棟制御機ＣＰＵ４１２が同時にネットワークにアクセスした場合でも、各棟制御部４０のＤＩＰスイッチ４０１の設定状態に基づいて、固有のＩＰアドレスがそれぞれ付与される。このため、棟制御機ＩＤとデフォルトＩＰアドレスとの対応関係などの当初設定を正確に維持することができる。
【００４４】
したがって、多棟の集合住宅における多数の棟制御部４０をネットワークＮに接続する際に、棟制御部４０を効率よくネットワーク接続することができる。
【００４５】
また、棟制御部４０のほか、集合玄関機１０、管理室親機２０、居室親機３０等の各機器にもＩＰアドレスが設定される構成のインターホンシステムにおいても、各機器をネットワークＮへ効率よく接続することができる。
【００４６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００４７】
１：インターホンシステム、５：管理センター、１０（１０Ａ〜１０Ｃ）：集合玄関機、２０：管理室親機、３０：居室親機、４０：棟制御部、５０：集中集合玄関機、６０：集中管理室親機、７０：集中制御部、８０：外部機器、９０：ＬＡＮケーブル、４０１：ＤＩＰスイッチ（入力デバイスの一例）、４１０：棟制御機、４１１：棟記憶部、４１１ａ：ＩＰテーブル、４１２：棟制御機ＣＰＵ、Ｌ１〜Ｌ５：インターホン回線、Ｎ：ネットワーク
【図１】
2018074195.tif 000003
【図２】
2018074195.tif 000004
【図３】
2018074195.tif 000005
【図４】
2018074195.tif 000006